(57)【要約】【課題】  表示モジュールに供給される制御信号における、垂直同期タイミング及び水平同期タイミングに係る同期信号を供給するための信号線の本数を減少させて、制御信号の信号線の本数を削減する。【解決手段】  ＲＧＢデコーダ２０の合成同期信号生成回路２１により、水平同期信号のみに対応する第１のパルスと、水平同期信号及び垂直同期信号に対応し、第１のパルスと異なる波形を有する第２のパルスと、を有する合成同期信号ｓ１を生成・出力する。ＬＣＤコントローラ３０の同期信号処理回路部３１において、合成同期信号ｓ１を内部水平同期信号Ｈ１として出力するとともに、合成同期信号ｓ１におけるパルスが第２のパルスであることを検出した時、内部垂直同期信号Ｖ１を生成・出力し、内部垂直同期信号Ｖ１に基づいて液晶表示パネル１０の各走査ラインに走査信号電圧を順次印加し、内部水平同期信号Ｈ１に基づいて複数の信号ラインに表示信号電圧を印加する。【選択図】図１
2006078662.tif 000002
【特許請求の範囲】
【請求項１】
複数の信号ラインと複数の走査ラインの各交点近傍に表示画素が配列された表示パネルを表示データに対応する水平同期信号及び垂直同期信号に基づいて表示駆動する表示駆動装置において、
前記水平同期信号のみに対応する第１のパルスと、前記水平同期信号及び前記垂直同期信号に対応し、前記第１のパルスと異なる波形を有する第２のパルスと、を有する合成同期信号が供給され、前記合成同期信号を内部水平同期信号として出力するとともに、前記合成同期信号に含まれるパルスが前記第２のパルスであるか否かを検出し、該第２のパルスを検出した時に内部垂直同期信号を生成して出力する水平垂直同期信号出力手段と、
前記内部水平同期信号及び前記内部垂直同期信号に基づいて、前記表示パネルを表示駆動するための水平制御信号及び垂直制御信号を生成して出力する手段と、
を備えることを特徴とする表示駆動装置。
【請求項２】
前記表示駆動装置は、更に、
前記垂直制御信号に基づいて前記各走査ラインに走査信号電圧を順次印加する走査側駆動手段と、
前記水平制御信号に基づいて前記複数の信号ラインに前記表示データ応じた表示信号電圧を印加する信号側駆動手段と、
を備えることを特徴とする請求項１記載の表示駆動装置。
【請求項３】
前記合成同期信号における前記第１のパルス及び前記第２のパルスは、パルス幅が互いに異なることを特徴とする請求項１記載の表示駆動装置。
【請求項４】
前記第１のパルス及び前記第２のパルスは前記水平同期信号の立ち上りタイミングに同期した立ち上りタイミングを有し、
前記第２のパルスのパルス幅は前記第１のパルスのパルス幅より長い時間幅に設定されることを特徴とする請求項３記載の表示駆動装置。
【請求項５】
前記水平垂直同期信号出力手段は、
前記合成同期信号に含まれるパルスのパルス幅を計時する手段と、
前記計時手段によって計時されたパルス幅が閾値以上であるか否の検出によって前記パルスが前記第２のパルスであるか否かを検出する手段と、
を備えることを特徴とする請求項４に記載の表示駆動装置。
【請求項６】
前記合成同期信号における前記第１のパルス及び前記第２のパルスは、一定時間内のパルス数が互いに異なることを特徴とする請求項１記載の表示駆動装置。
【請求項７】
前記合成同期信号における前記第１のパルス及び前記第２のパルスは、振幅が互いに異なることを特徴とする請求項１記載の表示駆動装置。
【請求項８】
複数の信号ラインと複数の走査ラインの各交点近傍に表示画素が配列された表示パネルに、表示データに応じた画像情報を表示する表示装置において、
前記表示データに基づく水平同期信号及び垂直同期信号に対応し、前記水平同期信号のみに対応する第１のパルスと、該水平同期信号及び前記垂直同期信号に対応し、前記第１のパルスと異なる波形を有する第２のパルスと、を有する合成同期信号を生成して出力する合成同期信号生成手段と、
前記合成同期信号を内部水平同期信号として出力するとともに、該合成同期信号に含まれるパルスが前記第２のパルスであるか否かを検出し、該第２のパルスを検出した時に内部垂直同期信号を生成して出力する水平垂直同期信号出力手段と、
前記内部水平同期信号及び前記内部垂直同期信号に基づいて、前記表示パネルを表示駆動するための水平制御信号及び垂直制御信号を生成して出力する制御信号出力手段と、
を備えることを特徴とする表示装置。
【請求項９】
前記表示装置は、更に、
前記垂直制御信号に基づいて前記各走査ラインに走査信号電圧を順次印加する走査側駆動手段と、
前記水平制御信号に基づいて前記複数の信号ラインに前記表示データに応じた表示信号電圧を印加する信号側駆動手段と、
を備えることを特徴とする請求項８記載の表示装置。
【請求項１０】
少なくとも前記水平垂直同期信号出力手段、制御信号出力手段、走査側駆動手段及び信号側駆動手段は前記表示パネルの周辺に実装されて表示モジュールをなし、前記合成同期信号生成手段より前記合成同期信号が供給されることを特徴とする請求項９記載の表示装置。
【請求項１１】
前記合成同期信号における前記第１のパルス及び前記第２のパルスは、パルス幅が互いに異なることを特徴とする請求項８乃至１０のいずれかに記載の表示装置。
【請求項１２】
前記合成同期信号における前記第１のパルス及び前記第２のパルスは前記水平同期信号の立ち上りタイミングに同期した立ち上りタイミングを有し、
前記第２のパルスのパルス幅は前記第１のパルスのパルス幅より長い時間幅に設定されることを特徴とする請求項１１記載の表示装置。
【請求項１３】
前記水平垂直同期信号出力手段は、
前記合成同期信号に含まれるパルスのパルス幅を計時する手段と、
前記計時手段によって計時されたパルス幅が閾値以上であるか否の検出によって前記パルスが前記第２のパルスであるか否かを検出する手段と、
を備えることを特徴とする請求項１２に記載の表示装置。
【請求項１４】
前記合成同期信号における前記第１のパルス及び前記第２のパルスは、一定時間内のパルス数が互いに異なることを特徴とする請求項８乃至１０のいずれかに記載の表示装置。
【請求項１５】
前記合成同期信号における前記第１のパルス及び前記第２のパルスは、振幅が互いに異なることを特徴とする請求項８乃至１０のいずれかに記載の表示装置。
【発明の詳細な説明】
【技術分野】
【０００１】
本発明は、表示駆動装置に関し、例えば、アクティブマトリクス方式の液晶表示パネルを備えた液晶表示装置に適用して好適なものである。
【背景技術】
【０００２】
近年、コンピュータのディスプレイや、携帯電話等の携帯端末の表示部として、フラットパネル型の表示装置が用いられ、特に、互いに直交する複数の走査ラインと複数の信号ラインとの交点近傍に表示画素が配列されて形成されたアクティブマトリクス型の液晶表示パネルを備えた液晶表示装置（ＬＣＤ）が多用されるようになってきている。
【０００３】
図４は、従来技術における液晶表示装置の概略構成の一例を示すブロック図である。同図に示すように、液晶表示装置１０１は、ＲＧＢデコーダ１２０、液晶表示パネル１０、ＬＣＤコントローラ１３０、反転アンプ５０、駆動アンプ６０、走査ドライバ７０及び信号ドライバ８０を備えて構成されている。
【０００４】
ＲＧＢデコーダ１２０は、液晶表示装置１０１の外部から供給されるコンポジットビデオ信号等の映像信号から、水平同期信号Ｈ及び垂直同期信号Ｖ等の同期信号を抽出してＬＣＤコントローラ１３０に出力するとともに、映像信号に含まれるＲＧＢの各色信号（ＲＧＢ信号）を抽出し、反転アンプ５０に出力する。
【０００５】
ＬＣＤコントローラ１３０は、ＲＧＢデコーダ１２０から入力される同期信号に基づいて、液晶表示パネル１０に映像信号に基づく所定の画像情報を表示させるための制御を行う。即ち、ＬＣＤコントローラ１３０は、水平同期信号Ｈ及び垂直同期信号Ｖといった同期信号に基づいて極性反転信号ＦＲＰを生成して反転アンプ５０及び駆動アンプ６０へ出力し、また、水平制御信号（信号ラインアウトプットイネーブル信号、クリア信号等）及び垂直制御信号（ゲートスタート信号、ゲートクロック、ゲートラインアウトプットイネーブル信号等）を生成して、それぞれ信号ドライバ８０及び走査ドライバ７０へ出力する。
【０００６】
反転アンプ５０は、ＬＣＤコントローラ１３０から入力される極性反転信号ＦＲＰに基づいて、ＲＧＢデコーダ１２０から入力されるＲＧＢ信号の極性を周期的に、例えば水平走査期間毎に反転させてＲＧＢ反転信号（輝度信号）を生成し、信号ドライバ８０へ出力する。
駆動アンプ６０は、ＬＣＤコントローラ１３０から入力される極性反転信号ＦＲＰに基づいて、対向電極Ｖｃｏｍに印加する所定の駆動信号電圧の極性を周期的に、例えば水平走査期間毎に反転させる。
【０００７】
走査ドライバ７０は、シフトレジスタやゲート回路等で構成され、ＬＣＤコントローラ１３０から入力される垂直制御信号に基づいて、各走査ラインに走査信号（ゲートパルス）を順次印加する。
信号ドライバ８０は、シフトレジスタや、サンプルホールド回路、バッファ回路等で構成され、ＬＣＤコントローラ１３０から入力される水平制御信号に基づいて、反転アンプ５０から入力される輝度信号を順次サンプリングし、対応する表示信号電圧を水平走査期間毎に、各信号ラインに一斉に印加する。
【０００８】
液晶表示パネル１０は、アクティブマトリクス型の液晶表示パネルであって、概略、複数の走査ライン及び複数の信号ラインの各交点近傍に表示画素が配列されて、各表示画素は薄膜トランジスタに接続される画素電極、及び画素電極の対向位置に配設される対向電極Ｖｃｏｍを備える。
【０００９】
そして、液晶表示パネル１０の走査ライン及び信号ラインが走査ドライバ７０及び信号ドライバ８０によって順次選択駆動され、各信号ラインに印加された表示信号電圧が液晶表示パネル１０の薄膜トランジスタを介して各画素電極に印加される。これにより、表示信号電圧と対向電極Ｖｃｏｍに印加される駆動信号電圧との電位差による電圧が各表示画素の液晶容量（図示せず。）に印加され、各表示画素における液晶分子の配向状態が制御され、かくして映像（画像）が液晶表示パネル１０に表示される。
【００１０】
また、液晶表示装置１０１においては、ＬＣＤコントローラ１３０、反転アンプ５０、駆動アンプ６０、走査ドライバ７０及び信号ドライバ８０は、例えば液晶表示パネル１０の周辺に実装されて表示モジュール２００として構成され、ＲＧＢデコーダ１２０は液晶表示装置１０１が搭載される機器本体側に搭載されて、複数の信号線を介して表示モジュール２００に制御信号を供給するように構成されている。
【００１１】
ところで、上述したように、従来の液晶表示装置においては、ＲＧＢデコーダ１２０からＬＣＤコントローラ１３０に供給される制御信号において、垂直同期タイミング及び水平同期タイミングに係る同期信号を供給するように構成され、この同期信号としては水平同期信号及び垂直同期信号の２つの信号があり、このために２本の信号線が必要となっていた。かかる構成は、例えば、一般的な液晶表示装置の構成を示した特許文献１にも開示されている。
【特許文献１】特開２００１−２７２９５９号公報
【発明の開示】
【発明が解決しようとする課題】
【００１２】
液晶表示装置等の表示装置が特に携帯電話等の表示部に用いられる場合、回路面積及び配線の引き回しの点で、表示モジュールに供給される制御信号の信号線の本数は、少なければ少ない程良い。しかしながら、上述したように、従来においては、制御信号における垂直同期タイミング及び水平同期タイミングに係る同期信号を供給するための信号線として、水平同期信号及び垂直同期信号の２本の信号線が必要であった。
【００１３】
本発明は表示モジュールに供給される制御信号における、垂直同期タイミング及び水平同期タイミングに係る同期信号を供給するための信号線の本数を減少させて、制御信号の信号線の本数を削減することを目的とする。
【課題を解決するための手段】
【００１４】
かかる課題を解決するため、請求項１に記載の発明は、複数の信号ラインと複数の走査ラインの各交点近傍に表示画素が配列された表示パネルを表示データに対応する水平同期信号及び垂直同期信号に基づいて表示駆動する表示駆動装置において、前記水平同期信号のみに対応する第１のパルスと、前記水平同期信号及び前記垂直同期信号に対応し、前記第１のパルスと異なる波形を有する第２のパルスと、を有する合成同期信号が供給され、前記合成同期信号を内部水平同期信号として出力するとともに、前記合成同期信号に含まれるパルスが前記第２のパルスであるか否かを検出し、該第２のパルス幅を検出した時に内部垂直同期信号を生成して出力する水平垂直同期信号出力手段と、前記内部水平同期信号及び前記内部垂直同期信号に基づいて、前記表示パネルを表示駆動するための水平制御信号及び垂直制御信号を生成して出力する手段と、を備えることを特徴とする。
【００１５】
請求項２に記載の発明は、請求項１記載の表示駆動装置において、前記表示駆動装置は、更に、前記垂直制御信号に基づいて前記各走査ラインに走査信号電圧を順次印加する走査側駆動手段と、前記水平制御信号に基づいて前記複数の信号ラインに前記表示データ応じた表示信号電圧を印加する信号側駆動手段と、を備えることを特徴とする。
【００１６】
請求項３に記載の発明は、請求項１記載の表示駆動装置において、前記合成同期信号における前記第１のパルス及び前記第２のパルスは、パルス幅が互いに異なることを特徴とする。
【００１７】
請求項４に記載の発明は、請求項３記載の表示駆動装置において、前記合成同期信号における前記第１のパルス及び前記第２のパルスは前記水平同期信号の立ち上りタイミングに同期した立ち上りタイミングを有し、前記第２のパルスのパルス幅は前記第１のパルスのパルス幅より長い時間幅に設定されることを特徴とする。
【００１８】
請求項５に記載の発明は、請求項４に記載の表示駆動装置において、前記水平垂直同期信号出力手段は、前記合成同期信号に含まれるパルスのパルス幅を計時する手段と、前記計時手段によって計時されたパルス幅が閾値以上であるか否の検出によって前記パルスが前記第２のパルスであるか否かを検出する手段と、を備えることを特徴とする。
【００１９】
請求項６に記載の発明は、請求項１記載の表示駆動装置において、前記合成同期信号における前記第１のパルス及び前記第２のパルスは、一定時間内のパルス数が互いに異なることを特徴とする。
【００２０】
請求項７に記載の発明は、請求項１記載の表示駆動装置において、前記合成同期信号における前記第１のパルス及び前記第２のパルスは、振幅が互いに異なることを特徴とする。
【００２１】
請求項８に記載の発明は、複数の信号ラインと複数の走査ラインの各交点近傍に表示画素が配列された表示パネルに、表示データに応じた画像情報を表示する表示装置において、前記表示データに基づく水平同期信号及び垂直同期信号に対応し、前記水平同期信号のみに対応する第１のパルスと、該水平同期信号及び前記垂直同期信号に対応し、前記第１のパルスと異なる波形を有する第２のパルスと、を有する合成同期信号を生成して出力する合成同期信号生成手段と、前記合成同期信号を内部水平同期信号として出力するとともに、該合成同期信号に含まれるパルスが前記第２のパルスであるか否かを検出し、該第２のパルスを検出した時に内部垂直同期信号を生成して出力する水平垂直同期信号出力手段と、前記内部水平同期信号及び前記内部垂直同期信号に基づいて、前記表示パネルを表示駆動するための水平制御信号及び垂直制御信号を生成して出力する制御信号出力手段と、を備えることを特徴とする。
【００２２】
請求項９に記載の発明は、請求項８記載の表示装置において、前記表示装置は、更に、前記垂直制御信号に基づいて前記各走査ラインに走査信号電圧を順次印加する走査側駆動手段と、前記水平制御信号に基づいて前記複数の信号ラインに前記表示データに応じた表示信号電圧を印加する信号側駆動手段と、を備えることを特徴とする。
【００２３】
請求項１０に記載の発明は、請求項９記載の表示装置において、少なくとも前記水平垂直同期信号出力手段、制御信号出力手段、走査側駆動手段及び信号側駆動手段は前記表示パネルの周辺に実装されて表示モジュールをなし、前記合成同期信号生成手段より前記合成同期信号が供給されることを特徴とする。
【００２４】
請求項１１に記載の発明は、請求項８乃至１０のいずれかに記載の表示装置において、前記合成同期信号における前記第１のパルス及び前記第２のパルスは、パルス幅が互いに異なることを特徴とする。
【００２５】
請求項１２に記載の発明は、請求項１１記載の表示装置において、前記合成同期信号における前記第１のパルス及び前記第２のパルスは前記水平同期信号の立ち上りタイミングに同期した立ち上りタイミングを有し、前記第２のパルスのパルス幅は前記第１のパルスのパルス幅より長い時間幅に設定されることを特徴とする。
【００２６】
請求項１３に記載の発明は、請求項１２に記載の表示装置において、前記水平垂直同期信号出力手段は、前記合成同期信号に含まれるパルスのパルス幅を計時する手段と、前記計時手段によって計時されたパルス幅が閾値以上であるか否の検出によって前記パルスが前記第２のパルスであるか否かを検出する手段と、を備えることを特徴とする。
【００２７】
請求項１４に記載の発明は、請求項８乃至１０のいずれかに記載の表示装置において、前記合成同期信号における前記第１のパルス及び前記第２のパルスは、一定時間内のパルス数が互いに異なることを特徴とする。
【００２８】
請求項１５に記載の発明は、請求項８乃至１０のいずれかに記載の表示装置において、前記合成同期信号における前記第１のパルス及び前記第２のパルスは、振幅が互いに異なることを特徴とする。
【発明の効果】
【００２９】
本発明によれば、表示モジュールに供給される制御信号における、垂直同期タイミング及び水平同期タイミングに係る同期信号を供給するために信号線の本数を減少させて、制御信号の信号線の本数を削減することができる。
【発明を実施するための最良の形態】
【００３０】
以下、図面を参照して本発明を実施するための形態について詳細に説明する。以下においては、本発明の表示駆動装置を液晶表示装置に適用した場合について説明するが、本発明を適用可能な形態がこれに限定されるものではない。
【００３１】
図１は、本実施の形態におけるアクティブマトリクス型の液晶表示パネルを備えた液晶表示装置の概略構成例を示すブロック図である。なお、図４に示した液晶表示装置１０１と同一の部分には同一符号を付し、詳細な説明を省略する。
また、以下の説明では、同期信号がハイレベル（Ｈレベル）をアクティブ状態（ハイアクティブ）とするパルス信号である場合の例とし、同期信号のＨレベル期間をパルス幅と呼ぶ。
【００３２】
ＲＧＢデコーダ２０は、ＲＧＢデコーダ１２０と同様に、液晶表示装置１の外部より供給される映像信号から同期信号を抽出してＬＣＤコントローラ３０へ、また、映像信号に含まれるＲＧＢ信号を抽出して反転アンプ５０へ出力するように構成されている。また、液晶表示装置１において、ＬＣＤコントローラ３０、反転アンプ５０、駆動アンプ６０、走査ドライバ７０、信号ドライバ８０及び液晶表示パネル１０は表示モジュール３００として構成され、ＲＧＢデコーダ２０は液晶表示装置１が搭載される機器本体側に搭載されて、表示モジュール３００に制御信号を供給するように構成されている。
【００３３】
ここで、同図に示すように、本実施の形態のＲＧＢデコーダ２０は合成同期信号生成回路２１を備え、この合成同期信号生成回路２１から出力される合成同期信号ｓ１を同期信号として出力するように構成されている。
【００３４】
合成同期信号生成回路２１は、映像信号から得られる水平同期信号Ｈのタイミング及び垂直同期信号Ｖのタイミングに応じて、水平同期信号Ｈ及び垂直同期信号Ｖに替わる合成同期信号ｓ１を生成してＬＣＤコントローラ３０へ出力する。ここで、水平同期信号Ｈは液晶表示パネル１０の各走査ラインの選択タイミング（水平走査期間）に対応した信号であり、垂直同期信号Ｖは液晶表示パネル１０の１画面毎の走査開始タイミングに対応した信号であって、垂直同期信号Ｖは水平同期信号Ｈに近接して設けられる。
【００３５】
この合成同期信号ｓ１は、例えば、後述する図３（ａ）に示すように、各水平同期信号の立ち上りタイミングに同期した立ち上りタイミングを有し、各々が所定のパルス幅を有する複数のパルスを有するパルス信号であり、合成同期信号ｓ１の各パルスは、各水平同期信号のみに対応する第１のパルスと、水平同期信号及び垂直同期信号に対応する第２のパルスからなり、第１のパルスの波形と第２のパルスの波形とが互いに異なるように設定される。
【００３６】
なお、第１のパルスと第２のパルスは、以下の実施形態においては、互いにパルス幅が異なる形態とするが、本発明はこれに限るものではなく、例えば、一定時間内のパルス数が異なる形態や、パルスの振幅が異なる形態等の他の形態であってもよく、要するに、第１のパルスと第２のパルスとが判別できるように設定されていればよいものである。
【００３７】
本実施の形態においては、第１のパルスのパルス幅（第１パルス幅と呼ぶ）と第２のパルスのパルス幅（第２パルス幅と呼ぶ）とが互いに異なり、第２パルス幅を第１パルス幅より所定長（以下、パルス幅差と呼ぶ。）だけ長く設定する。例えば、ＬＣＤコントローラ３０の動作クロック信号ＣＬＫを単位として、第１パルス幅が４クロックの幅を有し、第２パルス幅が６クロックの幅を有するように設定する。この場合のパルス幅差は２クロックである。
【００３８】
ＬＣＤコントローラ３０は、ＬＣＤコントローラ１３０と同様に、映像信号に基づく所定の画像情報を液晶表示パネル１０に表示させるべく、入力される同期信号に基づいて極性反転信号ＦＲＰを生成して反転アンプ５０及び駆動アンプ６０へ出力し、また、水平制御信号及び垂直制御信号を生成してそれぞれ信号ドライバ８０及び走査ドライバ７０へ出力する。
【００３９】
ただし同図に示すように、本実施の形態のＬＣＤコントローラ３０は、同期信号処理回路部３１を備え、ＲＧＢデコーダ２０からの合成同期信号ｓ１がこの同期信号処理回路部３１へ入力されるように構成されている。
【００４０】
後述するように、この同期信号処理回路部３１は、入力される合成同期信号ｓ１から内部水平同期信号Ｈ１及び内部垂直同期信号Ｖ１を生成するよう構成されている。
ＬＣＤコントローラ３０は、この内部水平同期信号Ｈ１及び内部垂直同期信号Ｖ１に基づいて、ＬＣＤコントローラ１３０と同様にして、映像信号に基づく所定の画像情報を液晶表示パネル１０に表示させるための制御を行う。
【００４１】
図２は、本実施の形態の同期信号処理回路部の内部構成を示すブロック図であり、図３は、同期信号処理回路部の動作に係る信号波形を示す図である。
図２に示すように、同期信号処理回路部３１はカウンタ回路３２及び垂直同期信号生成回路３３を備える。同期信号処理回路部３１においては、合成同期信号ｓ１が入力され、そのままの信号を内部水平同期信号Ｈ１として出力する。従って、この内部水平同期信号Ｈ１は、各水平同期信号に同期した立ち上りタイミングを有し、前記第１及び第２のパルスを有する信号となる。また、カウンタ回路３２には合成同期信号ｓ１が印加されるとともに、ＬＣＤコントローラ３０の駆動に係るクロック信号ＣＬＫが供給され、出力信号（後述する検出信号ｓ２）を垂直同期信号生成回路３３に出力する。垂直同期信号生成回路３３はカウンタ回路３２から印加された出力信号（検出信号ｓ２）に基づいて内部垂直同期信号Ｖ１を生成して出力する。
【００４２】
カウンタ回路３２は、入力される合成同期信号ｓ１における各パルスのパルス幅を計時する機能を備え、印加された合成同期信号ｓ１のＨレベル期間の長さを、クロック信号ＣＬＫに基づき、クロック信号ＣＬＫの数としてカウントすることによって計時する。
【００４３】
更に、カウンタ回路３２は、計時されたカウンタの値（以下、カウント値と呼ぶ。）が所定値（以下、パルス幅閾値と呼ぶ。）以上であるか否かを検出する機能を備え、検出結果を表す検出信号ｓ２を、垂直同期信号生成回路３３へ出力する。検出信号ｓ２は、例えば、カウント値がパルス幅閾値以上である場合にＨレベル、カウント値がパルス幅閾値より小さい場合にＬレベルとなる信号である。
【００４４】
パルス幅閾値は、合成同期信号ｓ１における第１パルス幅と第２パルス幅とを識別し得る値に設定される。具体的には、パルス幅閾値は第１パルス幅にパルス幅差を加えた値であり、例えば、第１パルス幅及び第２パルス幅がそれぞれ４クロック及び６クロックに設定された本実施の形態の場合、パルス幅閾値は６に設定される。
【００４５】
垂直同期信号生成回路３３は、内部垂直同期信号Ｖ１を生成出力する回路である。この垂直同期信号生成回路３３は、検出信号ｓ２がＨレベルとなった場合にのみ、所定期間だけＨレベルとし、検出信号ｓ２がＬレベルの場合にはＬレベルのままとする信号を生成し、これを内部垂直同期信号Ｖ１として出力する。
【００４６】
次に、同期信号処理回路部３１の動作について、図３の信号波形を参照して詳細に説明する。同図において、（ａ）は合成同期信号ｓ１、（ｂ）はクロック信号ＣＬＫ、（ｃ）は同期信号処理回路部３１から出力される内部水平同期信号Ｈ１、（ｄ）はカウンタ回路３２におけるカウント値、（ｅ）は検出信号ｓ２、（ｆ）は同期信号処理回路部３１から出力される内部垂直同期信号Ｖ１をそれぞれ表している。
【００４７】
同図（ａ）によれば、合成同期信号ｓ１は、水平同期信号の立ち上りタイミングに同期した立ち上りタイミングを有し、４クロックのパルス幅を有する第１のパルスと、垂直同期信号に近接した水平同期信号に対応し、水平同期信号の立ち上りタイミングに同期した立ち上りタイミングを有し、６クロックのパルス幅を有する第２のパルスと、を有する。例えば、液晶表示パネル１０の信号ラインが６４０本、走査ラインが２４０本であり、クロック信号ＣＬＫが各信号ラインの駆動タイミングに対応している場合、第１のパルスは（ｂ）に示すクロック信号ＣＬＫの６４０クロック毎のタイミングに設定され、第２のパルスは第１のパルスが設定されるタイミングの２４０回毎のタイミングに設定される。
【００４８】
内部水平同期信号Ｈ１（ｃ）は、合成同期信号ｓ１がそのまま出力されるものであるため、同図（ａ）に示した合成同期信号ｓ１と同じ波形である。
【００４９】
次に、合成同期信号ｓ１の第１のパルスの１つ（同図のパルスｘ０１）に着目して、第１のパルスが入力された際の動作を説明する。
【００５０】
まず、パルスｘ０１の立上がりタイミングである時刻ｔ１において合成同期信号ｓ１がＨレベルとなる。カウンタ回路３２は、クロック信号ＣＬＫの立下がり（同図の立下がり部ｘ０２）タイミングにおいて合成同期信号ｓ１がＨレベルであることによりカウントを開始し、まずカウント値を１とする（同図のｘ０３）。なお、ここでは、カウンタ回路３２はクロック信号ＣＬＫの立下がりのタイミングでカウントを行うものとする。
【００５１】
そして時刻ｔ２までの間、合成同期信号ｓ１がＨレベルであることにより、カウンタ回路３２は、クロック信号ＣＬＫの立下がりに応じてカウントを次々行い、カウント値が４に至る（同図のｘ０４）。
【００５２】
そしてパルスｘ０１は時刻ｔ２においてＬレベルとなり、カウンタ回路３２は、合成同期信号ｓ１がＬレベルとなったことによりカウントを停止し、カウント値を０にリセットする（同図のｘ０５）。
【００５３】
この時刻ｔ１〜ｔ２の期間においては、カウント値はパルス幅閾値である６に至らなかった。このため、カウンタ回路３２が出力する検出信号ｓ２はＬレベルのままとなっている。
【００５４】
次に、第２のパルスの１つ（同図のパルスｘ０７）に着目して、第２のパルスが入力された際の動作を説明する。
【００５５】
第１のパルスの場合と同様に、パルスｘ０７の立上がりタイミングであるｔ５において合成同期信号ｓ１はＨレベルとなり、カウンタ回路３２は、まず、クロック信号ＣＬＫの立下がりタイミングに伴いカウント値を１とする。そして時刻ｔ７までの間、クロック信号ＣＬＫの立下がりに応じてカウントが次々なされカウント値は６に至り、そしてパルスｘ０７が時刻ｔ７においてＬレベルとなるとカウントが停止され、カウント値が０にリセットされる（同図のｘ０８）。
【００５６】
この時刻ｔ５〜ｔ７の期間においては、時刻ｔ５から５クロック経過した時刻ｔ６にカウント値がパルス幅閾値以上である６となる。これにより、同時刻ｔ６において、カウンタ回路３２から検出信号ｓ２がＨレベルとして出力される。
そして、検出信号ｓ２がＨレベルとなったことを受けて、垂直同期信号生成回路３３が出力する内部垂直同期信号Ｖ１がＨレベルとして出力される。
【００５７】
かくして、本実施の形態の液晶表示装置１においては、水平同期信号のみに対応する第１のパルスと、水平同期信号及び垂直同期信号に対応する第２のパルスと、を有する合成同期信号ｓ１が、ＲＧＢデコーダ２０から同期信号処理回路部３１へ出力される。そして、合成同期信号ｓ１の第１及び第２のパルスに応じた内部水平同期信号Ｈ１及び内部垂直同期信号Ｖ１が、同期信号処理回路部３１により生成・出力される。このため、水平同期タイミング及び垂直同期タイミングが合成同期信号ｓ１という１つの信号により伝送されることとなる。従って、液晶表示装置１のＲＧＢデコーダ２０とＬＣＤコントローラ３０との間に必要となる信号線の本数を、より少ないものとすることができる。
【００５８】
また、合成同期信号ｓ１における第２のパルスは、第１のパルスよりパルス幅が長いパルスとして生成され、合成同期信号ｓ１におけるパルスが第１のパルスであるか第２のパルスであるかの検出を、当該パルスのパルス幅がパルス幅閾値以上であるか否かによって検出するようにしたことにより、第１のパルスのパルス幅が多少変動しても、誤って内部垂直同期信号Ｖ１が再生されるといったことがない。従って、液晶表示装置１においては、より安定した内部水平同期信号出力及び内部水平垂直同期信号出力が実現される。
【００５９】
なお、上述した本実施の形態においては、同期信号がハイアクティブのパルス信号である場合について説明したが、本発明はこれに限らず、同期信号がローアクティブのパルス信号である場合に適用しても当然構わない。
【００６０】
また、上述した本実施の形態においては、合成同期信号ｓ１における第１パルス幅及び第２パルス幅をそれぞれ４クロック及び６クロックとした場合について説明したが、本発明はこれに限らず、第２パルス幅が第１パルス幅より大きければ任意のパルス幅に構成してよい。
【図面の簡単な説明】
【００６１】
【図１】本発明を適用した実施の形態の液晶表示装置の概略構成を示す図である。
【図２】同期信号処理回路部の内部構成を示すブロック図である。
【図３】同期信号処理回路部の動作に係る信号波形を示す図である。
【図４】従来の液晶表示装置の概略構成を示す図である。
【符号の説明】
【００６２】
１    液晶表示装置
１０  液晶表示パネル
２１  合成同期信号生成回路
３０  ＬＣＤコントローラ
３１  同期信号処理回路部
７０  走査ドライバ
８０  信号ドライバ
ｓ１  合成同期信号
Ｈ１  内部水平同期信号
Ｖ１  内部垂直同期信号
【図１】
2006078662.tif 000003
【図２】
2006078662.tif 000004
【図３】
2006078662.tif 000005
【図４】
2006078662.tif 000006